(57)【特許請求の範囲】
【請求項１】
容器に取り付けられる注出具本体と、前記注出具本体に離脱不能に取り付けられた中間蓋と、前記中間蓋にねじ込まれた外蓋とを有しており、前記中間蓋には前記注出具本体の注出口よりも小径の中間注出口を設けており、前記外蓋の開閉することにより、前記容器の内容物が前記中間注出口を介して小出しされる構成であって、
前記注出具本体のうち前記外蓋の下端よりも下方の部位に、環状の補助リブ板を外向きに突設している一方、
前記中間蓋には、前記注出具本体の補助リブ板を囲う大径部が形成されており、前記大径部に、前記注出具本体への中間蓋の嵌め込み動に伴って弾性変形して前記補助リブ板を乗り越えて前記中間蓋を上向き移動不能に保持する舌状の係合爪が周方向に断続して複数個形成されており、
更に、前記注出具本体のうち前記補助リブ板の下方でかつ前記中間蓋の大径部と対向した部位に、前記各係合爪が嵌まり込んで前記中間蓋を前記外蓋のねじ戻し方向に回転しないように保持する係合凹部が、前記係合爪に対応して周方向に断続して複数個形成されている、
樹脂製の二重蓋式注出具。
【請求項２】
前記中間蓋は前記注出具本体にねじ込まれるものである一方、
前記注出具本体の係合凹部は、当該係合凹部と同じ数の仕切り突起を周方向に断続して複数個設けることによって形成されており、前記仕切り突起に、前記中間蓋のねじ込みに際して前記係合爪が変形して乗り越えることを案内する傾斜面が形成されている、
請求項１に記載した樹脂製の二重蓋式注出具。
【発明の詳細な説明】
【技術分野】
【０００１】
本願発明は、袋容器や紙製容器などの容器に使用される樹脂製の二重蓋式注出具に関するものである。
【背景技術】
【０００２】
飲料やシャンプーなどの液体の包装手段として、積層フィルムで製造された袋容器（パウチ容器）が多用されている。この袋容器には、小出し手段として注出具が取り付けられており、この注出具は、一般に、袋容器に溶着される筒状の注出具本体にねじ蓋を取り付けた構造になっている。
【０００３】
この袋容器への内容物の充填を注出具本体から行う場合、充填速度の確保の点から、注出具本体はある程度の大きさの内径である必要であるが、内容物の種類によっては、ノズル状の細い注出口から僅かずつ注出したいという要望がある。
【０００４】
そこで、蓋を、注出具本体にねじ込まれる中間蓋（中栓蓋）と、これにねじ込まれる外蓋（キャップ）とからなる二重構造にして、中間蓋を注出具本体に取り付けると、外蓋をねじ戻しても中間蓋が連れ回転しないように保持することにより、充填工程での能率は確保しつつ、僅かずつの注出の要請にも応えんとすることが行われている。
【０００５】
その例として特許文献１には、中間蓋（中栓キャップ）を注出具本体（スパウト）にラチェット方式の係合手段で取り付けることにより、中間蓋の戻り回転を阻止することが開示されている。正確に述べると、特許文献１は、中間蓋と注出具本体との両方にラチェット突起を設けるにおいて、中間蓋のラチェット突起の数を注出具本体のラチェット突起の数よりも多くしたものであり、これにより、注出具本体が柔らかくても、中間蓋のラチェット突起と注出具本体のラチェット突起とをしっかりと係合させることができると記載されている。
【先行技術文献】
【特許文献】
【０００６】
【特許文献１】特開２０１３−７１７８１号公報
【発明の概要】
【発明が解決しようとする課題】
【０００７】
さて、ラチェット機構を使用した蓋と本体との係合手段は、いわゆるピルファー・プルーフ・キャップにおいて使用されているが、蓋の広がり変形を利用して係合させるものであるため、ラチェット突起同士の引っ掛かり代が小さくて、強引にねじ戻すと係合が解除されてしまうことがある。特許文献１についても、このようなラチェット機構の問題を解消しているとは言い難い。
【０００８】
本願発明はこのような現状に鑑み成されたものであり、中間蓋の離脱をしっかりと阻止できる二重蓋式注出具を提供することを課題とするものである。
【課題を解決するための手段】
【０００９】
本願発明の二重蓋式注出具は、
「容器に取り付けられる注出具本体と、前記注出具本体に離脱不能に取り付けられた中間蓋と、前記中間蓋にねじ込まれた外蓋とを有しており、前記中間蓋には前記注出具本体の注出口よりも小径の中間注出口を設けており、前記外蓋の開閉することにより、前記容器の内容物が前記中間注出口を介して小出しされる」
という基本構成である（なお、「前記外蓋の開閉することにより」は、「前記外蓋を開閉することにより」の意味である。）。
【００１０】
そして、上記基本構成において、
「前記注出具本体のうち前記外蓋の下端よりも下方の部位に、環状の補助リブ板を外向きに突設している一方、
前記中間蓋には、前記注出具本体の補助リブ板を囲う大径部が形成されており、前記大径部に、前記注出具本体への中間蓋の嵌め込み動に伴って弾性変形して前記補助リブ板を乗り越えて前記中間蓋を上向き移動不能に保持する舌状の係合爪が周方向に断続して複数個形成されており、
更に、前記注出具本体のうち前記補助リブ板の下方でかつ前記中間蓋の大径部と対向した部位に、前記各係合爪が嵌まり込んで前記中間蓋を前記外蓋のねじ戻し方向に回転しないように保持する係合凹部が、前記係合爪に対応して周方向に断続して複数個形成されている」
という構成が付加されている。
【００１１】
請求項２の発明は、請求項１において、
「前記中間蓋は前記注出具本体にねじ込まれるものである一方、
前記注出具本体の係合凹部は、当該係合凹部と同じ数の仕切り突起を周方向に断続して複数個設けることによって形成されており、前記仕切り突起に、前記中間蓋のねじ込みに際して前記係合爪が変形して乗り越えることを案内する傾斜面が形成されている」
という構成になっている。
【発明の効果】
【００１３】
本願発明では、係合爪は舌状の形態であり、係合爪は、自身が曲がり変形（撓み変形）することによって係合凹部に係合するが、係合爪は、係合凹部に対してしっかりと引っ掛かり係合する長さに設定することができる。このため、係合爪と係合凹部との引っ掛かり代を大きく取ることができて、注出具本体に対する中間蓋の取り付け強度を格段に向上できる。
係合爪と係合凹部との構成も、従来のピルファー・プルーフ・キャップの係合構造を流用できるため、製造上の問題も発生しない。
【００１４】
請求項２の構成を採用すると、中間蓋は注出具本体にねじ込まれるため、ねじ式のキャッピング装置を有する充填設備をそのまま使用できる。従って充填現場への対応性に優れていて汎用性が高い。
【図面の簡単な説明】
【００１５】
【図１】実施形態を示す図で、（Ａ）は平面図、（Ｂ）は正面図、（Ｃ）は底面図、（Ｄ）は外蓋の正面図、（Ｅ）は中間蓋の正面図、（Ｆ）は注出具本体の正面図である。
【図２】（Ａ）は図１（Ｆ）のIIA-IIA 視断面図、（Ｂ）は図２（Ｂ）のIIB-IIB 視断面図、（Ｃ）は外蓋を分離した状態での正面図である。
【図３】（Ａ）は縦断正面図、（Ｂ）は（Ａ）のＢ−Ｂ視断面図である。
【発明を実施するための形態】
【００１６】
次に、本願発明の実施形態を図面に基づいて説明する。本願では、方向を特定するため「上」「下」の文言を使用しているが、これは、容器を立てて、その上部に注出具本体が軸線を鉛直姿勢にした配置した状態を基準にして使用している。
【００１７】
図１（Ｄ）（Ｅ）（Ｆ）に示すように、注出具は、注出具本体１と中間蓋２と外蓋３とから成っており、これらは、いずれもポリエチレン等の樹脂を材料にした射出成形品である。まず、注出具本体１から説明する。
【００１８】
(1).注出具本体１
本実施形態の注出具は、フィルム製の袋容器（パウチ容器）４に使用するタイプである。そこで、注出具本体１は、基本的には円筒状としつつ、下部に、袋容器４が外面に溶着される目玉状の溶着部５を一体に設けており、溶着部５の上方に、溶着部５の長手方向に長い略六角形の上下リブ板６，７を一体に設けている。リブ板６，７は、充填工程等に姿勢を保持して吊支する役割と、開封に際して手で摘む役割を持っている。
【００１９】
注出具本体１のうち、上リブ板６の上方には円形の補助リブ板８が形成されていて、補助リブ板８と上リブ板６との間の環状空間に、仕切り突起９を略等間隔で８個形成することにより、リブ板７，８及び仕切り突起９で囲われた８個の係合凹部１０が、周方向に並んで形成されている。補助リブ板８の外径は、上リブ板６の最小内接円よりも小径になっている。
【００２０】
図２（Ａ）に示すように、仕切り突起９のうち、軸心１１を挟んで対称位置に設けた２つは、平面視で、注出具本体１の放射方向線１２を挟んだ両側に傾斜面１３を有する山形になっているのに対して、他の６つの仕切り突起９は、注出具本体１の放射方向線１２と略重なる姿勢のストッパー面１４と、放射方向線１２に対して大きく傾斜した傾斜面１５とを有する鋸歯形（直角三角形状）に形成されている。
【００２１】
このように、２つの仕切り突起９が対称状の山形になっているのは、注出具本体１が図２（Ａ）の矢印１６で示す方向に遠近移動する割型を使用して製造されることに伴い、型抜きの必要のためである。従って、製造上の問題を捨象したら、全ての仕切り突起９を鋸歯形に形成するのが好適である。
【００２２】
注出具本体１のうち上端寄り部位には、第１雄ねじ１７を形成している。第１雄ねじ１７は二条ねじになっている。なお、注出具本体１のうち溶着部５の外周面には、袋容器４の溶着を確実化するための横長リブ１８を形成している。
【００２３】
(2).中間蓋２及び外蓋３
中間蓋２は、注出具本体１に外から嵌まり込む大きさであり、図３（Ａ）のとおり、内周には、注出具本体１の第１雄ねじ１７に螺合する第１雌ねじ１９を形成している。また、中間蓋２の下端部には、外蓋３と略同じ外径の大径部２０を形成しており、この大径部２０に、８個の係合爪２１が周方向に並んで８個形成されている。
【００２４】
係合爪２１は、軸心に向けて上向きに向かうように傾斜した舌状になっており、先端は、中間蓋２のうち大径部２０よりも上の部分の内径の延長線の個所に位置している。係合爪２１は、図２（Ｂ）に矢印２２で示す方向に遠近移動する割型を使用する形成されている。このため、大径部２０には、係合爪２１に対応した８個の窓穴２３が空いている。
【００２５】
中間蓋２の外周面のうち上部には、２条ねじ式の第２雄ねじ２４が形成されている。また、中間蓋２の上端には上板２５が一体に形成されており、上板２５に、請求項に記載した中間注出口の例としての上向きに突出した注出ノズル２６と、注出具本体１の内部に入り込む下向きのシール突起２７とが形成されている。中間蓋２のうち、第２雄ねじ２４の上に位置した上端部は小径部２８になっており、小径部２８とシール突起２７とで注出具本体１の上端部が内外から挟むことにより、中間蓋２と注出具本体１との間のシール性向上を図っている。
【００２６】
外蓋３は下向きに開口した形態であり、内周面には、第２雄ねじ２４に螺合する第２雌ねじ２９が形成されている。また、天板３ａの下面には、注出ノズル２６に外側から嵌まるアウター中足３０と、注出ノズル２６に内側から嵌まるインナー中足３１とを形成しており、これらによってもシール性が高められている。
【００２７】
また、外蓋３の上半部の内周面のうち軸心を挟んだ対称位置の２か所に、中間蓋２の小径部２８に外側から当接又は密接する上位置決めリブ３２を、軸心方向に長く延びるように設けている。他方、中間蓋２の小径部２８には、上位置決めリブ３２が周方向から当たることによって外蓋３のねじ込み限度を規制する下位置決めリブ３３が形成されている。上位置決めリブブ３２が下位置決めリブ３３に当たった状態で、各係合爪２１が各係合凹部１０の周方向中間部に位置するように設定している。
【００２８】
(3).まとめ
以上の構成において、袋容器４への内容物の充填方法は、中間蓋２及び外蓋３を取り外した状態で注出具本体１から充填してから、中間蓋２及び外蓋３を取り付ける方法と、注出具とは別の注入口から個所から充填し、充填後に注入口を塞ぐ方法との２種類がある。前者の場合、注出具本体１は大きな口径であるため、内容物の充填を迅速に行える。
【００２９】
充填後における中間蓋２及び外蓋３の取り付けは、まず中間蓋２を注出具本体１にねじ込んでから外蓋３を中間蓋２にねじ込む方法も採用可能ではあるが、これは手間が掛かるので、通常は、予め中間蓋２に外蓋３を取り付けてユニット化しておき、このユニットを注出具本体１にセットする（ねじ込む）という方法が採用される。
【００３０】
いずれにしても、中間蓋２の係合爪２１がその付け根から曲がるように弾性変形することと、注出具本体１における仕切り突起９の傾斜面１３，１５が、中間蓋２のねじ込み方向に向かって手前に位置していることにより、注出具本体１への中間蓋２のねじ込みに伴って、係合爪２１は仕切り突起９を次々に乗り越えていき、中間蓋２をねじ込み切ると、各係合爪２１はそれぞれ係合凹部１０に内部に入り込んで、係合爪２１は元の姿勢に復帰する。
【００３１】
そして、外蓋３をねじ戻すと中間蓋２は連れ回転しようとするが、係合爪２１が、係合凹部１０の内面の１つであるストッパー面１４に突っ張ることにより、中間蓋２の戻り回転が阻止される。このため、中間蓋２は外蓋３に連れ回転することはなくて、外蓋３のみが取り外されて、注出ノズル２６から内容物を僅かずつ小出しできる。
【００３２】
係合爪２１の周方向の幅寸法は、係合凹部１０の周方向の幅寸法よりも小さくなっている。すなわち、係合爪２１と係合凹部１０との間には、周方向に多少の遊びである。このため、中間蓋２は、外蓋３の戻し回転時に、係合爪２１と係合凹部１０との遊びの範囲内で戻り回転し得るが、シール突起２７及び小径部２８と注出具本体１との上下嵌合寸法が、係合爪２１と係合凹部１０との遊び範囲内での回転による中間蓋２の上昇ストロークよりも遥かに大きくなるように設定しているため、中間蓋２と注出具本体１とのシール性は確実に保持されている。この点、本実施形態の大きな利点の一つである。
【００３３】
なお、中間蓋２と外蓋３とからなる蓋ユニットのねじ込みは、通常は、外蓋３を掴持した治具を回転させることによって行われるが、中間蓋２の大径部２０を掴持して回転させたり、大径部２０と外蓋３との両方を掴持して回転させたりすることも可能である。
【００３４】
本実施形態は、中間蓋２の大径部２０は外蓋３の下方に露出しているため、大径部２０がアクセント効果を発揮して、独特の美観を呈している（中間蓋２と外蓋３との色を変えることも可能である。）。また、大径部２０と外蓋３とは略同じ外径になっているため、全体的にすっきりとしている。これらも、本実施形態の利点である。
【００３５】
更に、本実施形態のように、位置決めリブ３２，３３を設けると、係合爪２１と係合凹部１０との係合状態を確実に保持できる。また、上位置決めリブ３２により、外蓋３の振れが抑制される利点もある。
【００３６】
(4).その他
本願発明は、上記の実施形態の他にも様々に具体化できる。例えば、中間蓋２について見ると、注出具本体１に対してねじ込み式にする必然性はないのであり、軸方向に移動させる打栓方式で係合爪を係合凹部に嵌め込むことも可能である。袋容器４への内容物の充填を注出具とは別の個所で行う場合は、充填工程での中間蓋２の嵌め込みは不要なので、打栓方式も問題なく適用できる。
【００３７】
また、外蓋について、ロック片を千切らないと外蓋を空けることができないピルファープルーフ機能（バージン性保持機能）を持たせることも可能である。
【００３８】
使用対象の容器はフィルム製のパウチ容器には限らないのであり、紙製容器やＰＥＴボトルなどにも適用できる。当然ながら、注出具本体の構造は容器の種類によって異なってくる。なお、ＰＥＴボトルは注出具本体に相当する口部を備えているので、ＰＥＴボトルに適用する場合は、本願発明の注出具本体が容器に一体成形されていると見たらよい。
【産業上の利用可能性】
【００３９】
本願発明は、パウチ容器用等の注出具に具体化できる。従って、産業上利用できる。
【符号の説明】
【００４０】
１  注出具本体
２  中間蓋
３  外蓋
４  袋容器
８  補助リブ板
９  仕切り突起
１０  係合凹部
１４  ストッパー面
１３，１５  傾斜面
１７，２４  雄ねじ
１９，２９  雌ねじ
２０  大径部
２１  係合爪
２３  窓穴
２６  ノズル（中間注出口）
【図１】
0006619582.tif 000002
【図２】
0006619582.tif 000003
【図３】
0006619582.tif 000004